(57)【要約】【課題】実際に運転しなくても、各暖房系統が室内のどの辺りをカバーしているのかを即座に把握することができる温水式床暖房システムの操作装置を提供する。【解決手段】温水暖房熱源機によって生成された温水を、同一室内に設置された複数暖房系統の暖房床に循環供給する、各暖房系統毎に独立して運転可能な温水式床暖房システムの操作リモコン５０であって、Ａ暖房系統及びＢ暖房系統のそれぞれに対して、例えば、「右側」、「左側」といった個別の暖房系統名称を登録することができるようになっており、表示部５２に各暖房系統の運転状態や運転予約状況等を表示する際に、登録された暖房系統名称が併せて表示されると共に、各暖房系統の運転操作や運転予約の設定操作を行うと、例えば、「右側が暖まります。」といった具合に、その操作内容が登録された暖房系統名称を用いて音声によって報知されるようになっている。【選択図】        図２
2004347281.tif 000002
【特許請求の範囲】
【請求項１】
温水暖房熱源機によって生成された温水を、同一室内に設置された複数暖房系統の暖房床に循環供給する、各暖房系統毎に独立して運転可能な温水式床暖房システムの操作装置において、
各暖房系統毎に、その暖房系統名称を登録して表示することができるようになっていることを特徴とする温水式床暖房システムの操作装置。
【請求項２】
各暖房系統毎に登録された暖房系統名称を用いた音声報知が行われるようになっている請求項１に記載の温水式床暖房システムの操作装置。
【請求項３】
請求項１または２に記載の操作装置に対する暖房系統名称の登録方法であって、
前記温水式床暖房システムの試運転を行う際、各暖房系統毎に、それぞれの暖房床の設置位置を確認しながら、各暖房系統に対する暖房系統名称を登録するようにした暖房系統名称の登録方法。
【発明の詳細な説明】
【０００１】
【発明の属する技術分野】
この発明は、温水式床暖房システムの操作装置及びそういった操作装置に対する暖房系統名称の登録方法に関する。
【０００２】
【従来の技術】
この種の温水式床暖房システムには、同一室内に複数暖房系統の暖房床を設置し、各暖房系統毎に独立して運転することができるようになっているものがある。こういった１室複数系統タイプの温水式床暖房システムでは、各暖房系統毎に、例えば、「Ａ」、「Ｂ」といった暖房系統の識別記号が割り当てられており、操作リモコンの操作ボタンや表示部には、暖房系統に対応して、「Ａ」、「Ｂ」といった識別記号が表示されるようになっている。
【０００３】
【特許文献１】
特開２０００−０４６３５１号公報
【０００４】
【発明が解決しようとする課題】
しかしながら、上述したように、床暖房の各暖房系統が、「Ａ」、「Ｂ」といった単なるアルファベット記号で識別されているだけでは、ユーザは、各暖房系統を運転したときに、室内のどの辺りが暖房されるのかを把握することができず、各暖房系統を実際に運転してみなければ、その暖房系統が室内のどの辺りをカバーしているのかを知ることができないので、使い勝手が悪いといった問題がある。
【０００５】
そこで、この発明の課題は、実際に運転しなくても、各暖房系統が室内のどの辺りをカバーしているのかを即座に把握することができる操作装置を提供することにある。
【０００６】
【課題を解決するための手段及びその効果】
上記の課題を解決するため、請求項１にかかる発明は、温水暖房熱源機によって生成された温水を、同一室内に設置された複数暖房系統の暖房床に循環供給する、各暖房系統毎に独立して運転可能な温水式床暖房システムの操作装置において、各暖房系統毎に、その暖房系統名称を登録して表示することができるようになっていることを特徴とする温水式床暖房システムの操作装置を提供するものである。
【０００７】
以上のように、この温水式床暖房システムの操作装置は、各暖房系統毎に、その暖房系統名称を登録して表示することができるようになっているので、暖房床が設置されている部屋に応じた適正な暖房系統名称を登録しておくと、実際に各暖房系統を運転しなくても、操作装置に表示された暖房系統名称を見ただけで、各暖房系統を即座に把握することができる。
【０００８】
特に、請求項２にかかる発明の操作装置のように、各暖房系統毎に登録された暖房系統名称を用いた音声報知が行われるようになっているものにあっては、例えば、いずれかの暖房系統を選択した場合や、いずれかの暖房系統の運転を開始した場合、その暖房系統が登録された暖房系統名称で報知されるので、ユーザが捜査結果を確認することができ、さらに使い勝手が向上する。
【０００９】
また、こういった１室複数系統タイプの温水式床暖房システムでは、通常、試運転を行うことによって、各暖房系統の暖房床の設置位置が判明するので、請求項３にかかる発明のように、前記温水式床暖房システムの試運転を行う際、各暖房系統毎に、それぞれの暖房床の設置位置を確認しながら、各暖房系統に対する暖房系統名称を登録するようにしておくと、暖房系統名称の誤った登録を確実に防止することができる。
【００１０】
【発明の実施の形態】
以下、実施の形態について図面を参照して説明する。図１に示すように、この温水式床暖房システム１は、居室Ｒ内に設置された一対の暖房床１０ａ、１０ｂと、この暖房床１０ａ、１０ｂに、温水配管３０を介して、所定温度（例えば、６０℃）の温水を循環供給する温水暖房熱源機２０と、各暖房床１０ａ、１０ｂに対応するように、温水配管３０に設置された熱動弁４０ａ、４０ｂと、居室Ｒの壁面に設置された操作リモコン５０とを備えており、暖房床１０ａ、１０ｂの双方に温水を循環供給する２系統同時運転だけでなく、暖房床１０ａ、１０ｂのいずれか一方にだけ温水を循環供給する１系統単独運転を行うことができるようになっている。
【００１１】
前記操作リモコン５０は、居室Ｒの室温を検出する室温センサ５０ａと、この室温センサ５０ａによって検出された室温及び設定温度に基づいて、熱動弁４０ａ、４０ｂをオンオフ制御するコントローラ５０ｂとを有しており、コントローラ５０ｂは、基本的に、室温センサ５０ａによって検出される室温が設定温度になるように、熱動弁４０ａ、４０ｂのオンオフデューティー比を変化させることで、暖房床１０ａ、１０ｂの表面温度を間接的に制御するようになっている。
【００１２】
前記操作リモコン５０には、図２に示すように、操作リモコン５０に向かって居室Ｒの右側に配置されている暖房床１０ａ（図１参照）に温水を循環供給して居室Ｒの右側領域の床暖房を行うＡ暖房系統の運転スイッチ５１ａと、操作リモコン５０に向かって居室Ｒの左側に配置されている暖房床１０ｂ（図１参照）に温水を循環供給して居室Ｒの左側領域の床暖房を行うＢ暖房系統の運転スイッチ５１ｂとが、それぞれ個別に設けられており、運転スイッチ５１ａ、５１ｂの双方をＯＮすることによって、Ａ暖房系統及びＢ暖房系統を同時に運転することができるようになっている。なお、運転スイッチ５１ａ、５１ｂのいずれか一方をＯＦＦすると、その運転スイッチ５１ａ、５１ｂに対応している熱動弁４０ａ、４０ｂが強制的に閉弁され、運転スイッチ５１ａ、５１ｂの双方がＯＦＦされると、温水暖房熱源機２０に対して、温水の供給停止指令が出力されるようになっている。
【００１３】
また、この操作リモコン５０には、Ａ暖房系統及びＢ暖房系統のそれぞれに対して、例えば、「右側」、「左側」といった個別の暖房系統名称を登録することができるようになっており、同図に示すように、表示部５２に各暖房系統の運転状態や運転予約状況等を表示する際に、登録された暖房系統名称が併せて表示されると共に、各暖房系統の運転操作や運転予約の設定操作を行うと、例えば、「右側が暖まります。」といった具合に、その操作内容が登録された暖房系統名称を用いて音声によって報知されるようになっている。
【００１４】
以上のように構成された温水式床暖房システム１を設置すると、通常、運転開始前に試運転を行うことになるが、試運転では、各暖房床１０ａ、１０ｂにそれぞれ設けられたセンサジャックに床温センサを挿入した状態で、運転スイッチ５１ａ、５１ｂを個別にＯＮして、それぞれの暖房床１０ａ、１０ｂの床温上昇を床温センサによって検出することで、各暖房系統が適正に作動するか否か、即ち、暖房床１０ａ、熱動弁４０ａ、運転スイッチ５１ａと、暖房床１０ｂ、熱動弁４０ｂ、運転スイッチ５１ｂとがそれぞれ適切に対応しているか否かを確認することになるので、その試運転の際に、ユーザの要望を聞きながら、施工者が各暖房系統に対する暖房系統名称を登録すればよい。
【００１５】
以上のように、この温水式床暖房システム１の操作リモコン５０は、各暖房系統毎に、その暖房系統名称を登録して表示することができるようになっているので、暖房床１０ａ、１０ｂが設置されている居室Ｒに応じた適正な暖房系統名称を登録しておくと、実際に各暖房系統を運転しなくても、表示部５２に表示された暖房系統名称を見ただけで、各暖房系統がどの領域をカバーしているのかを即座に把握することができる。
【００１６】
特に、この操作リモコン５０は、ユーザが行った操作に対して、各暖房系統毎に登録された暖房系統名称を用いて音声による報知を行うようになっているので、自分の行った操作が適切であったのか否かを、ユーザ自身が音声で確認することができ、非常に使い勝手がよい。
【００１７】
また、上述したように、温水式床暖房システム１の試運転の際に、各暖房系統毎に、それぞれの暖房床１０ａ、１０ｂの設置位置を実際に確認しながら、各暖房系統に対する暖房系統名称を登録するようにしておくと、暖房系統名称の誤った登録を確実に防止することができる。
【００１８】
なお、上述した実施形態では、Ａ暖房系統及びＢ暖房系統を有する１室２系統タイプの温水式床暖房システム１について説明したが、これに限定されるものではなく、１室に３系統以上の暖房系統を有する温水式床暖房システムの操作リモコンについても、本発明を適用することができることはいうまでもない。
【００１９】
また、上述した実施形態では、温水式床暖房システム１の試運転の際に、施工者が各暖房系統に対する暖房系統名称を登録する場合について説明したが、試運転の後に、ユーザが自分で暖房系統名称を登録することができることはいうまでもない。
【図面の簡単な説明】
【図１】この発明にかかる操作装置の一実施形態である操作リモコンが使用されている温水式床暖房システムを示す概略構成図である。
【図２】同上の操作リモコンを示す正面図である。
【符号の説明】
１  温水式床暖房システム
１０ａ、１０ｂ  暖房床
２０  温水暖房熱源機
３０  温水配管
４０ａ、４０ｂ  熱動弁
５０  操作リモコン（操作装置）
５０ａ  室温センサ
５０ｂ  コントローラ
５１ａ、５１ｂ  運転スイッチ
５２  表示部
Ｒ  居室
【図１】
2004347281.tif 000003
【図２】
2004347281.tif 000004